(57)【特許請求の範囲】
【請求項１】
コマの回転情報を記録する情報ロガー装置であって、
前記コマに回転力を付与する際に用いられるランチャーに対して着脱可能な装着部と；
前記ランチャーにより前記コマに回転力が付与される際の前記コマの回転速度を検出する回転速度検出部と；
前記回転速度部による検出結果に基づいて得られる前記コマの回転情報を記憶する記憶部と；
前記記憶部に記憶された回転情報を出力する出力部と：
を備えることを特徴とする情報ロガー装置。
【請求項２】
前記コマの前記ランチャーへの着脱を検出する着脱検出部を更に備える、ことを特徴とする請求項１に記載の情報ロガー装置。
【請求項３】
前記記憶部には、利用者の識別情報が更に記憶され、
前記出力部から出力される情報には、前記利用者の識別情報が含まれる、
ことを特徴とする請求項１又は２に記載の情報ロガー装置。
【請求項４】
前記回転速度検出部により検出された前記コマの回転速度から得られるシュート力の強弱を段階的に表示する表示部を更に備える、ことを特徴とする請求項１〜３のいずれか一項に記載の情報ロガー装置。
【発明の詳細な説明】
【技術分野】
【０００１】
本発明は、情報ロガー装置に係り、特に、ランチャーにより回転力が付与される際のコマの回転情報を記録する情報ロガー装置に関する。
【背景技術】
【０００２】
従来、コマを遊戯台上で回転させるため、コマに回転力を付与するランチャーの技術が提案されている（特許文献１参照：以下、「従来例１」という）。この従来例１の技術では、ランチャーのラックベルトの引き操作により、コマに回転力を付与するようになっている。
【０００３】
また、実際のコマに回転力を付与することを行わずに、ランチャーのラックベルトの引き操作によりフライホールを回転させ、当該フライホールの回転を検出して、仮想の電子コマの回転属性とする技術も提案されている（特許文献２参照：以下、「従来例２」という）。この従来例２の技術では、ラックベルトの引き操作により付与された回転属性を有する電子コマ同士の対戦を楽しむことができるようになっている。
【先行技術文献】
【特許文献】
【０００４】
【特許文献１】特開２００３−１０３０６２号公報
【特許文献２】特許第３５３２９００号公報
【発明の概要】
【発明が解決しようとする課題】
【０００５】
上述した従来例１では、プレーヤは、自らの操作（ラックベルトの引き操作）による実際のコマの回転を実感できる。しかしながら、回転力が付与されたコマの回転に関する情報は保存されない。このため、ランチャーを利用して遊んだ結果を、仮想空間における対戦等の他の種類の遊びに利用することができなかった。
【０００６】
また、上述した従来例２の技術では、プレーヤは、自らの操作で回転力の属性が付与された電子コマを用いて他の電子コマとの仮想空間における対戦を楽しむことができる。しかしながら、電子コマに付与された回転属性は、その対戦限りで利用するのみである。このため、ランチャーの利用による操作の習熟度等を勘案した楽しみ方を提供することができなかった。また、従来例２の技術では、自らの操作による実際のコマの回転を実感できなかった。
【０００７】
本発明は、上記の事情を鑑みてなされたものであり、ランチャーの操作による実際のコマの回転を実感しつつ行われるランチャーの操作によって得られたコマの回転情報を記録し、記録された情報を適宜取り出すことができる情報ロガー装置を提供することを目的とする。
【課題を解決するための手段】
【０００８】
請求項１に記載の発明は、
コマの回転情報を記録する情報ロガー装置であって、
前記コマに回転力を付与する際に用いられるランチャーに対して着脱可能な装着部と；
前記ランチャーにより前記コマに回転力が付与される際の前記コマの回転速度を検出する回転速度検出部と；
前記回転速度検出部による検出結果に基づいて得られる前記コマの回転情報を記憶する記憶部と；
前記記憶部に記憶された回転情報を出力する出力部と：
を備えることを特徴とする。
【０００９】
請求項２に記載の発明は、請求項１に記載の情報ロガー装置において、前記コマの前記ランチャーへの着脱を検出する着脱検出部を更に備える、ことを特徴とする。
【００１０】
請求項３に記載の発明は、請求項１又は２に記載の情報ロガー装置において、
前記記憶部には、利用者の識別情報が更に記憶され、
前記出力部から出力される情報には、前記利用者の識別情報が含まれる、
ことを特徴とする。
【００１１】
請求項４に記載の発明は、請求項１〜３のいずれか一項に記載の情報ロガー装置において、前記回転速度検出部により検出された前記コマの回転速度から得られるシュート力の強弱を段階的に表示する表示部を更に備える、ことを特徴とする。
【発明の効果】
【００１２】
請求項１に記載の情報ロガー装置によれば、装着部を用いてランチャーに装着された状態でコマに回転力を付与する際のコマの回転速度を、回転速度検出部が検出する。この回転速度検出部による検出結果から得られるコマの回転情報が、記憶部に記憶される。そして、記憶部に記憶された回転情報は、適宜、出力部から出力される。
したがって、ランチャーの操作による実際のコマの回転を実感しつつ行われるランチャーの操作によって得られたコマの回転情報を記録し、記録された情報を適宜取り出すことができる。
【００１３】
請求項２に記載の情報ロガー装置によれば、着脱検出部が、コマがランチャーに着脱されている状態にあることを検出する。このため、コマがランチャーに装着された後に回転速度検出部による検出動作を開始させることにより、回転速度検出部による誤検出を有効に防止することができる。
【００１４】
請求項３に記載の情報ロガー装置によれば、記憶部には、利用者の識別情報が更に記憶され、出力部から出力される情報には、利用者の識別情報が含まれる。このため、利用者個人と関連付けられて回転情報が記憶部に記憶されるとともに、ランチャーを他のものと交換しても、当該利用者個人に関連付けられた回転情報として、記憶部に記憶させることができる。そして、出力部から出力される際には、回転情報とともに、利用者の識別情報が出力されるので、利用者が様々のランチャーによりコマに回転力を付与したとしても、それらの行為に伴って取得された回転情報を総合して、利用者個人に関する情報として出力することができる。
【００１５】
請求項４に記載の情報ロガー装置によれば、表示部が、回転速度検出部により検出されたコマの回転速度から得られるシュート力の強弱を段階的に表示する。このため、利用者は、ランチャーを用いてコマに回転力を付与するたびに、どの段階の回転力をコマに付与することができたかを把握することができる。
【図面の簡単な説明】
【００１６】
【図１】本発明に係る情報ロガー装置をランチャーに装着した状態の斜視図である。
【図２】ランチャーの概念的な断面図である。
【図３】情報ロガー装置及びランチャーを離脱した状態の外観図である。
【図４】図１の情報ロガー装置の概略的な構成を示すブロック図である。
【図５】図２の記憶部に記憶される回転情報の例を説明するための図である。
【図６】図２の処理制御部によって実行される回転情報のロギング処理を説明するための図である。
【発明を実施するための形態】
【００１７】
以下、本発明に係るコマの回転速度検出装置を図面に示した実施の形態に基づいて説明する。
【００１８】
図１は、一実施例に係る回転速度検出装置として構成された情報ロガー装置１００をランチャー（シュータ装置）２００に装着した状態の外観を示し、また、図２は、ランチャーの概念的な断面図である。
【００１９】
［ランチャー２００の構成］
まず、ランチャー２００について説明する。
このランチャー２００は、紐２０２を引くことによりコマホルダー２０３を回転させ、当該コマホルダー２０３に係合させたコマ３００に回転力を付与するものである。
【００２０】
ランチャー２００は、図２に示すように、互いに並設された軸２０４，２０５を備えている。このうち軸２０４は固定された軸であり、この軸２０４には、紐２０２を巻回するドラム２０６が設けられている。紐２０２の一端はドラム２０６に係止され、紐２０２の他端には、ハンドル２０７が連結されている。また、軸２０４には、ゼンマイばね２０９ａが巻回されている。このゼンマイばね２０９ａは、一端が軸２０４に係止され、他端がゼンマイばねケース２０９に係止されている。そして、ゼンマイばね２０９ａの付勢力に抗してハンドル２０７を引くことによってドラム２０６を回転させる。また、軸２０４には歯車２１１が設けられている。この歯車２１１は、ハンドル２０７の引き操作に伴って、ドラム２０６と一体的に回転する。
【００２１】
一方、軸２０５は回転する軸であり、この軸２０５には歯車２１２が設けられている。そして、この歯車２１２は上記歯車２１１に噛合している。
軸２０５は円筒状を成し、軸２０５の下端には、コマホルダー２０３が設けられている。このコマホルダー２０３には、コマ３００の係合孔３００ａに挿入させてコマ３００を係合支持する爪２０３ａが２つ配設されている。
そして、ハンドル２０７の引き操作によって、歯車２１１，２１２を介して軸２０５が回転され、それによってコマホルダー２０３が回転される。
【００２２】
また、軸２０５の上端には、後述する回転体２３０が設けられている。
さらに、軸２０５の内部には、コマ３００の着脱部として、ロッド２１０が摺動自在に収容されている。このロッド２１０はフリーとなっており重力で下方に付勢されている。このロッド２１０の鍔２１０ａが形成されている。これにより、ロッド２１０の脱落が防止されている。このロッド２１０は、コマホルダー２０３の中心に形成された孔２０３ｃを介して下方に延設されている。
なお、このロッド２１０にスプリング２１６を巻回し、ロッド２１５を下方に付勢してもよい。
【００２３】
このように構成されたランチャー２００によれば、このランチャー２００のコマホルダー２０３の爪２０３ａにコマ３００を係合させ、ハンドル２０７をゼンマイばね２０９ａの付勢力に抗して引くと紐２０２を介してドラム２０６が回転され、それに伴って歯車２１１が回転される。そして、この歯車２１１の回転は、歯車２１２に伝達され、軸２０５が回転される。その結果、コマホルダー２０３が回転され、コマ３００が勢いよく回転される。この状態で、ハンドル２０７を引くのを停止すると、コマホルダー２０３の回転が停止される。この場合、コマホルダー２０３に保持されたコマ３００は慣性力によって回転が持続され、コマホルダー２０３の爪２０３ａの傾斜面２０３ｂに沿って、コマホルダー２０３から離脱される。その後、ハンドル２０７から手を放す（引く力を完全に開放する）と、ゼンマイばね２０９ａの付勢力によって、初期状態に復帰する。この場合、動力伝達機構の中に１ウェイクラッチを介在させておき、初期状態に復帰させる際に、コマホルダー２０３を回転させないようにしておくことが好ましい。
【００２４】
［情報ロガー装置１００の構成］
続いて、情報ロガー装置１００について説明する。
図３に示すように、情報ロガー装置１００には、位置決め用の４つの凸部１００ａと、ランチャー２００に装着するための装着部１１０とを備えている。そして、４つの凸部１００ａをランチャー２００の位置決め用の４つの凹部２００ａに嵌合させ、この装着部１１０を手動でランチャー２００の突起２００ｂにはめ込むことにより、情報ロガー装置１００をランチャー２００に装着できるようになっている。また、装着部１１０を手動でランチャー２００から外すことにより、情報ロガー装置１００をランチャー２００から分離できるようになっている。
【００２５】
また、図３に示すように、情報ロガー装置１００では、表示部１２０が側面に配置されている。なお、本実施形態では、表示部１２０は、３個のＬＥＤ（Light Emitting Diode）ランプを備えており、これらのＬＥＤランプそれぞれの点灯又は消灯のパターンにより、後述するように、コマ３００に付与した回転力（すなわち、シュート力）を８段階で表示するようになっている。ただし、表示態様はこれに限定されず、ＬＥＤの数や制御により表示態様を適宜に変化させてもよい。
【００２６】
また、図３に示すように、情報ロガー装置１００では、下面部に、着脱検出部１３０及び回転速度検出部１４０が配置されている。この回転速度検出部１４０は、コマ３００が回転し始めた時から離脱するまでの回転数の計数を行う計数部１４０ａと、コマ３００が回転し始めた時から離脱するまでの時間を計時する計時部１４０ｂと、計数結果と計時結果とに基づいて回転速度を算出する算出部１４０ｃとを備えている。この場合の回転速度は、特に限定はされないが、ｒｐｍで表される。なお、このように所定時間当たりの回転数である回転速度に代えて、或いは当該回転速度に加えて、実際に回転した数を取り扱ってもよい。以下、同様である。
【００２７】
ところで、ランチャー２００の上面部には、上述したように、下方向に付勢されたロッド２１０が設けられている。このロッド２１０は、コマ３００がランチャー２００に装着された際にコマ３００により上方に移動し、ランチャー２００の上面から突出する。上述した着脱検出部１３０は、情報ロガー装置１００がランチャー２００に装着された場合に、ロッド２１０に対向する位置に設けられている。そして、コマ３００がランチャー２００に装着された際にランチャー２００の上面から突出したロッド２１０による押圧を検出することにより、着脱検出部１３０は、コマ３００がランチャー２００に装着された状態にあることを検出するようになっている。この着脱検出部１３０には例えばロッド２１０の押圧を検知する検知スイッチが用いられている。
【００２８】
また、図３に示すように、ランチャー２００の上面部には、開口２２０が形成されている。そして、ランチャー２００にコマ３００が装着された場合には、上方から開口２２０を介して、ランチャー２００内の回転体２３０の上面が見えるようになっている。この回転体２３０は、ランチャー２００によってコマ３００が回転する際に同時に回転する。なお、本実施形態では、回転体２３０の上面は、中心角が同一の扇形の複数の領域が、白色と黒色とに円周方向に沿って交互に着色されている。そして、ランチャー２００を利用してコマ３００に回転力が付与されている期間においては、上方から開口２２０を介して見える、回転体２３０の上面領域の色は、周期的に白色と黒色とが変化するようになっている。ただし、形や色はこれに限定されず、反射率の異なる色や素材等が周期的に変化するものであればよい。
【００２９】
上述した回転速度検出部１４０は、情報ロガー装置１００がランチャー２００に装着された場合に、開口２２０に対向する位置に設けられている。そして、開口２２０を介して見える、回転体２３０の上面領域の色の変化の周期を検出することにより、コマ３００の回転速度を検出するようになっている。
【００３０】
さて、情報ロガー装置１００は、図４に示すように、上述した装着部１１０、表示部１２０、着脱検出部１３０及び回転速度検出部１４０に加えて、通信部１５０と、処理制御部１６０と記憶部１７０とを備えている。そして、表示部１２０、着脱検出部１３０、回転速度検出部１４０、通信部１５０と及び記憶部１７０は、処理制御部１６０と接続されている。
【００３１】
上記の表示部１２０は、処理制御部１６０から送られた表示パターン指定を受ける。そして、表示部１２０は、表示パターン指定により指定されたパターンに従って、３個のＬＥＤランプのそれぞれを適宜に点灯又は消灯する。
【００３２】
上記の着脱検出部１３０は、上述したように、ランチャー２００のロッド２１０による押圧を検出する。着脱検出部１３０による検出結果は、処理制御部１６０へ送られる。そして、その検出結果は処理制御部１６０から適宜に回転速度検出部１４０へ送られる。
【００３３】
上記の回転速度検出部１４０は、上述したように、ランチャー２００に装着されたコマ３００の回転速度を検出する。回転速度検出部１４０による検出結果は、処理制御部１６０へ送られる。
【００３４】
なお、本実施形態では、回転速度検出部１４０は、装着されたランチャー２００の開口２２０へ向けて光を射出する光源部と、入射光の光量を検出する光量検出部とを備えている。そして、回転速度検出部１４０は、光源部から射出された光が回転体２３０の上面で反射されて入射した入射光の光量の変化周期を検出することにより、光源部から射出光の回転体２３０の上面における照射領域の色の変化の周期を検出することにより、コマ３００の回転速度を検出するようになっている。
【００３５】
上記の通信部１５０は、情報処理装置５００との間でデータ信号の授受を行う。なお、本実施形態では、情報処理装置５００としてイヤホンマイク端子を有し、当該イヤホンマイク端子を介してデータ通信が可能なスマートフォン等を想定している。
【００３６】
このため、通信部１５０は、当該イヤホンマイク端子と電気的に接続可能な端子を有するケーブル部材を有している。かかるケーブル部材は、情報処理装置５００との通信を行わないときには、情報ロガー装置１００の内部に収納されるようになっている。
【００３７】
通信部１５０は、処理制御部１６０から送られた送信データを受けると、当該送信データを反映した通信のための態様の信号を生成する。そして、通信部１５０は、生成された信号を情報処理装置５００へ送る。また、通信部１５０は、情報処理装置５００から送られた受信データを受信すると、当該受信データを反映し、処理制御部１６０に適合した態様の信号を生成する。そして、通信部１５０は、生成された信号を処理制御部１６０へ送る。
【００３８】
上記の処理制御部１６０は、情報ロガー装置１００の動作を統括制御するとともに、回転速度検出部１４０により検出された回転速度に基づく処理を実行する。本実施形態では、処理制御部１６０は、ＣＰＵ（Central Processing Unit）等を備えて構成され、記憶部１７０内に記憶されたプログラムを実行することにより、様々な処理を行うようになっている。
【００３９】
なお、処理制御部１６０が実行する処理については、後述する。
【００４０】
上記の記憶部１７０は、不揮発性の記憶素子を備えて構成されている。この記憶部１７０には、処理制御部１６０が必要な様々な情報データが記憶されている。こうした情報データには、上述した処理制御部１６０が実行するプログラム、回転情報ＲＴＩが含まれている。
【００４１】
回転情報ＲＴＩには、図５に示すように、利用者本人の識別情報（ＩＤ）及び利用者のニックネーム（ＮＫ）が含まれている。また、回転情報ＲＴＩには、シュート回数（ＳＴ）、累積回転速度（ＡＲ）、ベスト１位の回転速度（ＭＲ１）、ベスト２位の回転速度（ＭＲ２）、ベスト３位の回転速度（ＭＲ３）及び平均回転速度（ＰＡＶ）が含まれている。さらに、回転情報ＲＴＩには、全利用者の平均回転速度（ＷＡＶ）及び全利用者のベスト回転速度（ＷＭＸ）が含まれている。
【００４２】
ここで、利用者本人の識別情報は、情報ロガー装置１００と同様の他の情報ロガー装置に関する管理を行う管理サーバにより付与され、情報処理装置５００を介して、処理制御部１６０に通知される。そして、処理制御部１６０が、付与された識別情報を、記憶部１７０内の利用者本人の識別情報（ＩＤ）として登録する。
【００４３】
また、利用者のニックネームは、利用者が、情報処理装置５００に入力する。そして、情報処理装置５００が、入力された利用者のニックネームを情報ロガー装置１００へ送信する。通信部１５０を介して、情報処理装置５００から送信された利用者のニックネームを受信すると、処理制御部１６０は、受信した利用者のニックネームを記憶部１７０内の利用者のニックネーム（ＮＫ）として登録する。
【００４４】
また、シュート回数、累積回転速度、ベスト１位の回転速度、ベスト２位の回転速度、ベスト３位の回転速度及び平均回転速度は、ランチャー２００によるコマ３００への回転力の付与（シュート）が行われるたびに、処理制御部１６０により新たな値が算出される。そして、処理制御部１６０が、算出された新たな値に、記憶部１７０内のシュート回数（ＳＴ）、累積回転速度（ＡＲ）、ベスト１位の回転速度（ＭＲ１）、ベスト２位の回転速度（ＭＲ２）、ベスト３位の回転速度（ＭＲ３）及び平均回転速度（ＰＡＶ）を更新する。
【００４５】
さらに、全利用者の平均回転速度及び全利用者のベスト回転速度は、管理サーバから、情報処理装置５００を介して、処理制御部１６０に通知される。そして、処理制御部１６０が、通知された全利用者の平均回転速度及び全利用者のベスト回転速度を、記憶部１７０内の全利用者の平均回転速度（ＷＡＶ）及び全利用者のベスト回転速度（ＷＭＸ）として登録する。
【００４６】
［動作］
次に、上記のように構成された情報ロガー装置１００の動作について、処理制御部１６０が実行する処理に主に着目して説明する。なお、記憶部１７０内の回転情報ＲＴＩには、現時点の情報が登録されているものとする。また、当初においては、情報ロガー装置１００は、ランチャー２００に装着されているものとする。
【００４７】
こうした状態において、処理制御部１６０は、図６に示すように、まず、ステップＳ１１において、着脱検出部１３０による検出結果に基づいて、コマ３００がランチャー２００に装着されたか否かを判定する。ステップＳ１１における判定の結果が否定的であった場合（ステップＳ１１：Ｎ）には、ステップＳ１１の処理が繰り返される。
【００４８】
コマ３００がランチャー２００に装着され、ステップＳ１１における判定の結果が肯定的となると（ステップＳ１１：Ｙ）、処理はステップＳ１２へ進む。このステップＳ１２では、処理制御部１６０が、回転速度検出部１４０による検出結果の収集処理及び回転速度表示処理を行う。ここで、処理制御部１６０は、回転速度検出部１４０から送られた回転速度の検出結果を収集し、収集された回転速度の検出結果に対応する表示パターン指定を生成する。そして、処理制御部１６０は、生成された表示パターン指定を表示部１２０へ送る。この結果、表示部１２０では、当該表示パターン指定により指定されたパターンに従って、３個のＬＥＤランプのそれぞれを適宜に点灯又は消灯する。このため、利用者は、表示部１２０による表示を見ることにより、コマ３００の回転速度の段階を把握することができる。
【００４９】
なお、ステップＳ１２では、着脱検出部１３０による検出結果に基づいて、コマ３００がランチャー２００から離脱したことが検出されるまで、回転速度検出部１４０による検出結果の収集処理及び回転速度表示処理が継続的に行われる。そして、コマ３００がランチャー２００から離脱したことが検出されると、ステップＳ１２の処理が終了し、処理はステップＳ１３へ進む。
【００５０】
ステップＳ１３では、処理制御部１６０が、ステップＳ１２において収集した回転速度、及び、その時点における記録部１７０内の回転情報ＲＴＩにおけるシュート回数（ＳＴ）、累積回転速度（ＡＲ）、ベスト１位の回転速度（ＭＲ１）、ベスト２位の回転速度（ＭＲ２）、ベスト３位の回転速度（ＭＲ３）及び平均回転速度（ＰＡＶ）に基づいて、新たなシュート回数、累積回転速度、ベスト１位の回転速度、ベスト２位の回転速度、ベスト３位の回転速度及び平均回転速度を算出する。
【００５１】
具体的には、処理制御部１６０は、（ＳＴ＋１）を新たなシュート回数として算出する。また、処理制御部１６０は、（ＡＲ＋（今回収集された回転速度））を新たな累積回転速度として算出する。
【００５２】
また、処理制御部１６０は、今回収集された回転速度に対応して、新たなベスト１位の回転速度、ベスト２位の回転速度及びベスト３位の回転速度を導出する。なお、今回収集された回転速度が、それまでのベスト３位の回転速度（ＭＲ３）以下の場合には、ベスト１位の回転速度、ベスト２位の回転速度及びベスト３位の回転速度は変更されない。
【００５３】
さらに、処理制御部１６０は、新たな累積回転速度を新たなシュート回数で除算して、新たな平均回転速度を算出する。
【００５４】
こうして新たなシュート回数、累積回転速度、ベスト１位の回転速度、ベスト２位の回転速度、ベスト３位の回転速度及び平均回転速度が算出されると、ステップＳ１４において、算出された値に、記録部１７０内の回転情報ＲＴＩにおけるシュート回数（ＳＴ）、累積回転速度（ＡＲ）、ベスト１位の回転速度（ＭＲ１）、ベスト２位の回転速度（ＭＲ２）、ベスト３位の回転速度（ＭＲ３）及び平均回転速度（ＰＡＶ）を更新する。
【００５５】
ステップＳ１４における更新処理が終了すると、処理はステップＳ１１へ戻る。以後、ステップＳ１１〜Ｓ１４の処理が繰り返される。
【００５６】
以上のようにして更新された回転情報ＲＴＩは、情報処理装置５００から送信された読取要求に応答して、情報処理装置５００へ送られる。なお、当該読取要求は、利用者が情報処理装置５００に読取指定を入力した場合に発行されるようになっている。
【００５７】
こうして情報ロガー装置１００から送信された回転情報ＲＴＩを受信すると、情報処理装置５００は、受信内容を情報処理装置５００の表示部に表示する。この結果、利用者は、現時点の回転情報ＲＴＩを把握することができる。
【００５８】
また、利用者が情報処理装置５００に回転情報の管理サーバへの送信要求を入力すると、情報処理装置５００は、情報ロガー装置１００から送られた利用者本人の識別情報（ＩＤ）、利用者のニックネーム（ＮＫ）、シュート回数（ＳＴ）、累積回転速度（ＡＲ）、ベスト１位の回転速度（ＭＲ１）、ベスト２位の回転速度（ＭＲ２）、ベスト３位の回転速度（ＭＲ３）及び平均回転速度（ＰＡＶ）を管理サーバへ送る。この結果、管理サーバ内に、利用者本人の識別情報（ＩＤ）に関連付けられて、利用者のニックネーム（ＮＫ）、シュート回数（ＳＴ）、累積回転速度（ＡＲ）、ベスト１位の回転速度（ＭＲ１）、ベスト２位の回転速度（ＭＲ２）、ベスト３位の回転速度（ＭＲ３）及び平均回転速度（ＰＡＶ）が登録される。
【００５９】
なお、管理サーバは、新たな登録、又は、登録内容の更新があると、全利用者の平均回転速度及び全利用者のベスト回転速度を更新する。そして、管理サーバは、更新された全利用者の平均回転速度及び全利用者のベスト回転速度を、情報処理装置５００を介して、情報ロガー装置１００へ送信する。この結果、記憶部１７０内の回転情報ＲＴＩにおける全利用者の平均回転速度（ＷＡＶ）及び全利用者のベスト回転速度（ＷＭＸ）が更新される。
【００６０】
以上説明したように、本実施形態では、装着部１１０を用いてランチャー２００に装着された状態でコマに回転力を付与する際のコマ３００の回転速度を、回転速度検出部１４０が検出する。この回転速度検出部１４０による検出結果から得られるコマ３００の回転情報が、記憶部１７０に記憶される。そして、記憶部１７０に記憶された回転情報ＲＴＩは、適宜、通信部１５０から送信される。
したがって、本実施形態によれば、ランチャー２００の操作による実際のコマ３００の回転を実感しつつ行われるランチャー２００の操作によって得られたコマ３００の回転情報を記録し、記録された情報を適宜取り出すことができる。
【００６１】
また、本実施形態では、着脱検出部１３０が、コマ３００がランチャー２００に装着されている状態にあることを検出する。このため、コマ３００がランチャー２００に装着された後に回転速度検出部１４０による検出動作を開始させることにより、回転速度検出部１４０による誤検出を有効に防止することができる。
【００６２】
また、本実施形態では、記憶部１７０には、利用者本人の識別情報（ＩＤ）が更に記憶され、通信部１５０から送信される情報には、利用者本人の識別情報（ＩＤ）が含まれる。このため、利用者個人と関連付けられて回転情報が記憶部１７０に記憶されるとともに、ランチャー２００を他のものと交換しても、当該利用者個人に関連付けられた回転情報として、記憶部１７０に記憶させることができる。そして、通信部１５０から送信される際には、回転情報とともに、利用者本人の識別情報（ＩＤ）が送信されるので、利用者が様々のランチャーによりコマに回転力を付与したとしても、それらの行為に伴って取得された回転情報を総合して、利用者個人に関する情報として出力することができる。
【００６３】
また、本実施形態では、表示部１２０が、回転速度検出部１４０により検出されたコマ３００の回転速度から得られるシュート力の強弱を段階的に表示する。このため、利用者は、ランチャー２００を用いてコマ３００に回転力を付与するたびに、どの段階の回転力をコマに付与することができたかを把握することができる。
【００６４】
［実施形態の変形］
本発明は、上記の実施形態に限られるものではなく、発明の本質的部分を変更しない範囲内で自由に設計変更が可能である。
【００６５】
例えば、着脱検出部を、情報ロガー装置の電源スイッチとして構成するようにしてもよい。
また、回転情報が、シュート回数や、実現できた回転速度に応じて管理サーバにより付与されたポイント、不正な通信による回転情報の書き換えを防止するためのパスワード等を含むようにしてもよい。
【００６６】
また、通信部が、上記の実施形態によるイヤホン端子を介した通信に代えて、又は、イヤホン端子を介した通信に加えて、赤外線通信等の他の方式の通信を行うようにしてもよい。
さらに、通信部を介した通信相手に他の情報ロガー装置を加えるようにし、友達識別情報を交換するようにしてもよい。
【００６７】
また、着脱検出部が、ロッド２１０の移動を検出する検知スイッチでなくてもよく、光学的に、或いは電磁的にコマ３００の着脱を検出するものであってもよい。
【符号の説明】
【００６８】
１００    情報ロガー装置
１１０    装着部
１２０    表示部
１３０    着脱検出部
１４０    回転速度検出部
１５０    通信部（出力部）
１６０    処理制御部
１７０    記憶部
２００    ランチャー
３００    コマ
【要約】
【課題】ランチャーの操作による実際のコマの回転を実感しつつ行われるランチャーの操作によって得られたコマの回転情報を記録し、記録された情報を適宜取り出すことができる情報ロガー装置を提供する。
【解決手段】装着部１１０を用いてランチャー２００に装着された状態で、着脱検出部１３０が、ランチャー２００にコマ３００が装着されたことを検出する。そして、コマ３００に回転力を付与する際のコマの回転速度を、回転速度検出部１４０が検出する。この回転速度検出部１３０による検出結果から得られるコマの回転情報が、記憶部１７０に記憶される。そして、記憶部１７０に記憶された回転情報は、適宜、通信部１５０から情報処理装置５００へ送信される。
【選択図】図４【図１】
0005756581.tif 000002
【図２】
0005756581.tif 000003
【図３】
0005756581.tif 000004
【図４】
0005756581.tif 000005
【図５】
0005756581.tif 000006
【図６】
0005756581.tif 000007